(57)【特許請求の範囲】
【請求項１】
設備の状態に関する状態情報を含む設備情報と、前記設備に付与されたＩＣタグを識別する識別子とを関連付けて格納する設備管理サーバと通信を行う無線通信部と、
前記設備管理サーバに接続するための接続情報と、前記識別子とを関連付けて記憶する前記ＩＣタグと通信を行うＩＣタグ通信部と、
前記ＩＣタグ通信部を介して前記ＩＣタグから前記接続情報及び前記識別子を取得し、取得した前記接続情報及び前記識別子に基づいて、前記ＩＣタグが付与された前記設備に関する前記設備情報を前記設備管理サーバから取得する設備情報取得部と、
前記無線通信部を用いて前記設備管理サーバと通信不能となった場合に、前記ＩＣタグ通信部を介して前記ＩＣタグに対して前記設備の状態情報を書き込み可能な状態とする制御部と、
を備え、
前記無線通信部を用いて前記設備管理サーバと通信不能となる原因が災害によるものである場合に、前記状態情報は、前記災害に対応するための前記設備に対する操作に関する情報である操作情報又は前記災害の影響による前記設備の損傷に関する情報である損傷情報を含む、
設備管理装置。
【請求項２】
設備の状態に関する状態情報を含む設備情報と、前記設備に付与されたＩＣタグを識別する識別子とを関連付けて格納する設備管理サーバと通信を行う無線通信部と、
前記設備管理サーバに接続するための接続情報と、前記識別子とを関連付けて記憶する前記ＩＣタグと通信を行うＩＣタグ通信部と、
前記ＩＣタグ通信部を介して前記ＩＣタグから前記接続情報及び前記識別子を取得し、取得した前記接続情報及び前記識別子に基づいて、前記ＩＣタグが付与された前記設備に関する前記設備情報を前記設備管理サーバから取得する設備情報取得部と、
前記無線通信部を用いて前記設備管理サーバと通信不能となった場合に、前記ＩＣタグ通信部を介して前記ＩＣタグに対して前記設備の状態情報を書き込み可能な状態とする制御部と、
前記無線通信部を用いて前記設備管理サーバと通信不能となり、かつ、前記制御部が前記ＩＣタグに対して前記状態情報を書き込み可能とした後に、前記無線通信部を用いて前記設備管理サーバと通信可能となった場合に、前記ＩＣタグから前記状態情報を取得し、取得した前記状態情報を登録するよう前記設備管理サーバへ要求する登録要求部と、
を備える設備管理装置。
【請求項３】
前記設備の点検又は操作を行う作業員が前記状態情報を入力するための入力画面であって、前記設備の種類に応じた入力項目を含む前記入力画面を表示する表示部をさらに備え、
前記制御部は、前記表示部に表示された前記入力画面における入力に応じた前記状態情報を前記ＩＣタグに対して書き込み可能とする
請求項１又は請求項２に記載の設備管理装置。
【請求項４】
請求項１から３のいずれか一項に記載の設備管理装置と、
前記ＩＣタグと、
を備える設備管理システム。
【請求項５】
設備の状態に関する状態情報を含む設備情報と、前記設備に付与されたＩＣタグを識別する識別子とを関連付けて格納する設備管理サーバと通信を行う無線通信部と、前記設備管理サーバに接続するための接続情報を、前記識別子に関連付けて記憶する前記ＩＣタグと通信を行うＩＣタグ通信部と、を備える設備管理装置を用いた設備管理方法であって、
前記ＩＣタグ通信部を介して前記ＩＣタグから前記接続情報及び前記識別子を取得する接続情報取得ステップと、
前記接続情報取得ステップにおいて取得した前記接続情報及び前記識別子に基づいて、前記ＩＣタグが付与された前記設備に関する前記設備情報を前記設備管理サーバから取得する設備情報取得ステップと、
前記無線通信部を用いて前記設備管理サーバと通信不能となった場合に、前記ＩＣタグ通信部を介して前記ＩＣタグに対して前記設備の状態情報を書き込み可能な状態とする制御ステップと、
を有し、
前記無線通信部を用いて前記設備管理サーバと通信不能となる原因が災害によるものである場合に、前記状態情報は、前記災害に対応するための前記設備に対する操作に関する情報である操作情報又は前記災害の影響による前記設備の損傷に関する情報である損傷情報を含む、
設備管理方法。
【請求項６】
設備の状態に関する状態情報を含む設備情報と、前記設備に付与されたＩＣタグを識別する識別子とを関連付けて格納する設備管理サーバと通信を行う無線通信部と、前記設備管理サーバに接続するための接続情報を、前記識別子に関連付けて記憶する前記ＩＣタグと通信を行うＩＣタグ通信部と、を備える設備管理装置を用いた設備管理方法であって、
前記ＩＣタグ通信部を介して前記ＩＣタグから前記接続情報及び前記識別子を取得する接続情報取得ステップと、
前記接続情報取得ステップにおいて取得した前記接続情報及び前記識別子に基づいて、前記ＩＣタグが付与された前記設備に関する前記設備情報を前記設備管理サーバから取得する設備情報取得ステップと、
前記無線通信部を用いて前記設備管理サーバと通信不能となった場合に、前記ＩＣタグ通信部を介して前記ＩＣタグに対して前記設備の状態情報を書き込み可能な状態とする制御ステップと、
前記無線通信部を用いて前記設備管理サーバと通信不能となり、かつ、前記制御ステップにおいて前記ＩＣタグに対して前記状態情報を書き込み可能とした後に、前記無線通信部を用いて前記設備管理サーバと通信可能となった場合に、前記ＩＣタグから前記状態情報を取得し、取得した前記状態情報を登録するよう前記設備管理サーバへ要求する登録要求ステップと、
を有する設備管理方法。
【請求項７】
請求項１から３のいずれか一項に記載の設備管理装置としてコンピュータを機能させるための設備管理プログラム。
【発明の詳細な説明】
【技術分野】
【０００１】
本発明の実施形態は、設備管理装置、設備管理システム、設備管理方法及び設備管理プログラムに関する。
【背景技術】
【０００２】
近年、上下水道等のプラント内に設置された設備の管理を行う技術は、電子化が進んできている。例えば、プラント内に設置された複数の仕切弁にそれぞれＩＣタグを設置して、ＩＣタグを利用した仕切弁の開閉管理を行う管理システムが提案されている。この管理システムは、ＩＣタグと、仕切弁の開閉情報を管理する管理サーバと、ＩＣタグと通信可能で、かつ、管理サーバとも通信可能な携帯端末とで構成される。ＩＣタグは、例えばＩＣタグのＩＤを記録している。
【０００３】
仕切弁の点検・操作・管理を行う作業員は、設備の管理に利用する携帯端末を所有している。作業員は、管理対象の設備となる仕切弁の設置場所まで行き、携帯端末をＩＣタグに近づける。これにより、携帯端末は、ＩＣタグと通信を行い、ＩＣタグのＩＤに関する情報を取得して、管理サーバに送信する。管理サーバは、受信したＩＤに基づいて、ＩＣタグが設置された仕切弁に関する情報を特定し、携帯端末へ送信する。携帯端末は、管理サーバから受信した仕切弁に関する情報を表示する。作業員は、携帯端末に表示された仕切弁に関する情報を見ることで、仕切弁の現在の開閉状態を含む仕切弁に関する色々な情報を知ることができる。
【０００４】
しかし、上述したプラント等の設備に関する情報を管理サーバで管理する技術は、災害等により通信ネットワークが不通となった場合に対応できない。携帯端末は、管理サーバと通信ができなくなると、設備に関する情報を取得することができない。また、そのような状況下で設備が損傷した場合に、作業員は、初期対応を行い設備に対する操作（例えば、仕切弁の開閉状態を変更）を行うことがある。上述した管理サーバは、このような災害等に対する初期対応による設備の操作の履歴を管理することができないという問題があった。
【先行技術文献】
【特許文献】
【０００５】
【特許文献１】実用新案登録第３１５７２９０号公報
【発明の概要】
【発明が解決しようとする課題】
【０００６】
本発明が解決しようとする課題は、管理サーバと通信できない状態におけるプラント内の設備に関する情報を管理することができる設備管理装置、設備管理システム、設備管理方法及び設備管理プログラムを提供することである。
【課題を解決するための手段】
【０００７】
実施形態の設備管理装置は、無線通信部と、ＩＣタグ通信部と、設備情報取得部と、制御部とを持つ。無線通信部は、設備情報と、この設備に付与されたＩＣタグを識別する識別子とを関連付けて格納する設備管理サーバと通信を行う。ＩＣタグ通信部は、前記設備管理サーバに接続するための接続情報を、前記識別子に関連付けて記憶する前記ＩＣタグと通信を行う。設備情報取得部は、前記ＩＣタグ通信部を介して前記ＩＣタグから前記接続情報及び前記識別子を取得し、取得した前記接続情報及び前記識別子に基づいて、前記ＩＣタグが付与された前記設備に関する前記設備情報を前記設備管理サーバから取得する。制御部は、前記無線通信部を用いて前記設備管理サーバと通信不能となった場合に、前記ＩＣタグ通信部を介して前記ＩＣタグに対して前記設備の状態情報を書き込み可能な状態とする。
【図面の簡単な説明】
【０００８】
【図１】本実施形態における設備管理システム１の構成例を示す図。
【図２】本実施形態の携帯端末４の構成例を示す図。
【図３】設備に応じた書き込みモード画面の画面例を示す図。
【図４】書き込みモード画面において、設備の種類別（設備名別）にＩＣタグ８に書き込まれる項目のテーブル例を示す図。
【図５】設備に応じた第１の登録モード又は第２の登録モードの登録モード画面の画面例を示す図。
【図６】本実施形態の設備管理システム１における携帯端末４の動作を説明する第１のフロー図。
【図７】本実施形態の設備管理システム１における携帯端末４の動作を説明する第２のフロー図。
【発明を実施するための形態】
【０００９】
以下、実施形態の設備管理装置、設備管理システム、設備管理方法及び設備管理プログラムを、図面を参照して説明する。
【００１０】
まず、本実施形態における設備管理システムの概略について説明する。
図１は、本実施形態における設備管理システム１の構成例を示す図である。図１に示すように、設備管理システム１は、設備管理サーバ２と、携帯端末（設備管理装置）４−１、４−２と、ＩＣタグ８−１、８−２とを備える。
【００１１】
設備管理サーバ２は、プラント内の設備の状態に関する情報である設備情報を格納する設備情報格納部２１を備え、設備の状態を管理するためのサーバである。設備管理サーバ２は、例えば、上下水道プラント内に設置された仕切弁５及びポンプ９に関する情報を管理する。この場合に設備情報格納部２１は、例えば、上下水道プラント内に設置された仕切弁５及びポンプ９の設備情報を格納する。仕切弁５は、ＩＣタグ８−１が付与された設備である。ポンプ９は、ＩＣタグ８−２が付与された設備である。
【００１２】
設備情報格納部２１は、ＩＣタグを識別するＩＤに関連付けて、当該ＩＣタグが付与された設備の設備情報を格納している。設備情報格納部２１は、例えば、ＩＣタグ８−１を識別するＩＤに関連付けて、ＩＣタグ８−１が付与されている仕切弁５の設備情報を格納する。設備情報格納部２１は、例えば、ＩＣタグ８−２を識別するＩＤに関連付けて、ＩＣタグ８−２が付与されているポンプ９の設備情報を格納する。
【００１３】
仕切弁５に関する設備情報は、例えば、仕切弁５の名称、仕切弁５の設置日時、仕切弁５のメーカ名、仕切弁５の型名、仕切弁５の閉開状態情報、仕切弁５の操作日時、仕切弁５を操作した作業員の名前及び仕切弁５の故障情報を含む情報である。ポンプ９に関する設備情報は、例えば、ポンプ９の名称、ポンプ９の設置日時、ポンプ９のメーカ名、ポンプ９の型名、ポンプ９の稼働状態情報、ポンプ９の操作日時、ポンプ９を操作した作業員の名前及びポンプの故障情報を含む情報である。なお、故障情報は、通常運転時における故障に関する情報の他に、災害等により損傷したことによる損傷の状態に関する情報を含む。
【００１４】
プラント内の管理対象となる設備は、上述した仕切弁５及びポンプ９の他に、配管、変電設備、充電設備、計測設備等の色々な設備がある。設備情報格納部２１は、各設備に応じて内容の異なる設備情報を格納してもよい。配管６−１に関する設備情報は、例えば、配管６−１の名称、配管６−１の設置日時、配管６−１のメーカ名、配管６−１の長さ、配管６−１の口径及び配管６−１の故障情報を含む情報である。なお、地中に埋まっている配管にＩＣタグを付与する場合には、マンホールの中の配管の接合部等が良い。
【００１５】
仕切弁５は、配管６−１の途中に設けられ、配管６−１の中を流れる流体の流れを止める弁を有し、弁の開閉を行う機能を有する。ポンプ９は、配管６−２の途中に設けられ、配管６−２の中を流れる流体に特定方向の圧力を加える機能を有する。仕切弁５は、携帯端末４−１を近づけるのに適当な箇所にＩＣタグ８−１が設けられている。ポンプ９は、携帯端末４−２を近づけるのに適当な箇所にＩＣタグ８−２が設けられている。ここで、携帯端末を近づけるのに適当な箇所とは、例えば、仕切弁５又はポンプ９を点検・操作に来た作業員が、簡便に見つけることができる目立つ箇所であって、作業員の手の届く範囲の箇所である。
【００１６】
設備管理サーバ２は、携帯端末４−１、４−２からの要求に応じて、設備情報格納部２１より読み出した設備情報を返信する。設備管理サーバ２は、図１に示していない無線通信ネットワークを介して、携帯端末４−１と無線通信３−１を行い、携帯端末４−２と無線通信３−２を行う。なお、無線通信３−１、３−２は、その一部に有線（例えばインターネット）を利用した通信を含む。具体例を示すと、無線通信３−１、３−２は、アクセスポイントと無線通信を行う。アクセスポイントと設備管理サーバ２との通信は、有線のネットワークを利用した通信を行う。携帯端末４−１、４−２は、携帯電話、スマートフォン及びタブレット端末等の携帯可能な端末であって、設備管理サーバ２と通信を行う機能と、ＩＣタグ８−１、８−２と通信を行う機能を少なくとも備える。
【００１７】
携帯端末４−１、４−２は、それぞれ表示部４５−１、４５−２を備える。表示部４５−１、４５−２は、液晶ディスプレイ等の表示装置であって、その画面上において入力機能を有するタッチパネルである。携帯端末４−１は、数ｃｍ〜数十ｃｍの距離にあるＩＣタグ８−１と無線通信７−１を行う機能を有する。携帯端末４−２は、数ｃｍ〜数十ｃｍの距離にあるＩＣタグ８−２と無線通信７−２を行う機能を有する。図１には示していないが、携帯端末４−１は、ＩＣタグ８−２を含む各設備に付与されたＩＣタグと所定距離内であれば無線通信可能である。同様に、携帯端末４−２は、ＩＣタグ８−１を含む各設備に付与されたＩＣタグと所定距離内であれば無線通信可能である。
【００１８】
ＩＣタグ８−１は、ＩＣタグ８−１を識別するＩＤに関連付けて、仕切弁５の設備名と、仕切弁５の設備情報を格納している設備管理サーバ２のＵＲＬ情報とを格納している。携帯端末４−１は、ＩＣタグ８−１から仕切弁５の設備情報を格納している設備管理サーバ２のＵＲＬ情報を取得して、設備管理サーバ２へ接続する。携帯端末４−１は、少なくともＩＤを含む設備情報の要求を設備管理サーバ２へ送信することで、設備管理サーバ２から仕切弁５に関する設備情報を取得する。これにより、表示部４５−１は、仕切弁５に関する弁の開閉状態を含む設備情報を表示し、作業員に設備情報を提示することができる（情報表示モード）。
【００１９】
ＩＣタグ８−２は、ＩＣタグ８−２を識別するＩＤに関連付けて、ポンプ９の設備名と、ポンプ９の設備情報を格納している設備管理サーバ２のＵＲＬ情報とを格納している。携帯端末４−２は、ＩＣタグ８−２からポンプ９の設備情報を格納している設備管理サーバ２のＵＲＬ情報を取得して、設備管理サーバ２へ接続する。携帯端末４−２は、少なくともＩＤを含む設備情報の要求を設備管理サーバ２へ送信することで、設備管理サーバ２からポンプ９に関する設備情報を取得する。これにより、表示部４５−２には、ポンプ９に関する稼働状態を含む設備情報が表示される。
【００２０】
仕切弁５に対して作業員が弁の開閉状態を操作した場合に、作業員は、携帯端末４−１を利用して、設備管理サーバ２に対して、操作後の仕切弁５の閉開状態情報、操作日時及び操作した作業員の名前を設備情報として登録するよう要求する（登録モード）。設備管理サーバ２は、携帯端末４−１からの登録要求に応じて、設備情報格納部２１の仕切弁５に関する設備情報を更新する。このように、設備管理サーバ２の設備情報格納部２１には、最新の設備情報が蓄積される。
【００２１】
以下の説明において、特に区別する必要がない場合は、図１に示した無線通信３−１、３−２の内の一つを無線通信３と記載し、携帯端末４−１、４−２の内の一つを携帯端末４と記載し、無線通信７−１、７−２の内の一つを無線通信７と記載し、ＩＣタグ８−１、８−２の内の一つをＩＣタグ８と記載し、表示部４５−１、４５−２の内の一つを表示部４５と記載する。なお、図１では説明を簡単にするために、２種類の設備を各１つ備える構成を示したが、設備管理システム１は、任意の種類の設備をそれぞれ任意の数有する構成であっても、各設備にＩＣタグ８を付与することで管理対象とすることができる。
【００２２】
本実施形態における設備管理システム１は、災害等の影響により設備管理サーバ２と携帯端末４との間で通信ができなくなった場合においても、以下の処理を行い、設備情報の管理を可能とする。携帯端末４は、災害等の影響によって設備管理サーバ２と通信ができなくなった場合であって、かつ、プラント内の設備に対して操作（例えば仕切弁５の開閉操作）を行った場合に、操作を行った設備に付与されているＩＣタグ８に対して操作情報の書き込みを行う機能を有する（書き込みモード）。
【００２３】
携帯端末４は、災害等の影響によって設備管理サーバ２と通信ができなくなった場合であって、かつ、プラント内の設備が災害等の影響により損傷している場合に、損傷している設備に付与されているＩＣタグ８に対して損傷情報の書き込みを行う機能を有する。これにより、ＩＣタグ８は、ＩＤと関連付けて操作情報又は損傷情報を格納する。この際、ＩＣタグ８は、記録容量に余裕があれば元々格納していた設備管理サーバ２のＵＲＬ情報をそのまま格納しておく。ＩＣタグ８は、記録容量に余裕がなければ操作情報又は損傷情報を格納する代わりに、元々格納していた設備管理サーバ２のＵＲＬ情報を削除（上書き）する。携帯端末４は、ＩＣタグ８において、設備管理サーバ２のＵＲＬ情報を削除する場合には、ＩＣタグ８のＩＤと関連付けて設備管理サーバ２のＵＲＬ情報を保持する。
【００２４】
携帯端末４は、災害等の影響によって操作情報又は損傷情報をＩＣタグ８に書き込みを行った後に、設備管理サーバ２と通信可能となった場合に、ＩＣタグ８に書き込まれた操作情報又は損傷情報を取得して、取得した操作情報又は損傷情報を設備管理サーバ２へ登録する機能を有する。これにより、設備管理サーバ２は、災害等の影響で携帯端末４と不通となっている間に変更された設備情報を取得することができる。
【００２５】
次に、本実施形態における携帯端末である設備管理装置４の構成例について説明する。
図２は、本実施形態の設備管理装置４の構成例を示す図である。図２に示すとおり、設備管理装置４は、制御部４０と、入力部４１と、設備情報取得部４２と、無線通信部４３と、表示制御部４４と、表示部４５と、ＩＣタグ制御部４６と、ＩＣタグ通信部４７と、登録要求部４８とを備える。図２において、図１に示した構成要素と同じ符号を有するものは、図１に示した構成要素と同じものであり、説明を省略する。
【００２６】
制御部４０は、設備管理装置４の動作モードの制御及び各部の制御を行う。制御部４０は、入力処理部４０１と、モード制御部４０２と、書き込み処理部４０３と、画面制御部４０４とを備える。入力処理部４０１は、入力部４１からの入力信号を取得する。モード制御部４０２は、入力処理部４０１が取得した入力信号に応じて設備管理装置４の動作モードを制御する。書き込み処理部４０３は、ＩＣタグ制御部４６に対して、ＩＣタグ８に書き込む情報及び指示を与える。画面制御部４０４は、画面情報を生成し、生成した画面情報を表示制御部４４へ出力する。
【００２７】
入力部４１は、設備管理装置４の利用者からの入力に応じた信号を取得し、入力信号を出力する。入力部４１は、表示部４５と一体的に設けられ、タッチパネルを構成している。設備管理装置４の利用者は、例えば作業員等のプラント内の設備を点検する者である。制御部４０の画面制御部４０４は、入力部４１から入力するボタン等を有する操作画面の画面情報を表示制御部４４に出力することで、表示部４５に操作画面を表示させる。制御部４０の入力処理部４０１は、操作画面における入力部４１からの入力信号を取得する。制御部４０は、入力処理部４０１が取得した入力信号に応じて各部の制御を行う。
【００２８】
設備情報取得部４２は、ＩＣタグ制御部４６から設備管理サーバ２のＵＲＬ情報及びＩＣタグ８のＩＤを取得する機能を有する。設備情報取得部４２は、取得したＵＲＬ情報に基づいて設備管理サーバ２に接続する機能を有する。設備情報取得部４２は、取得したＩＤを含む設備情報の要求を、無線通信部４３経由で設備管理サーバ２に対して送信し、設備管理サーバ２からＩＣタグ８を付与した設備に関する設備情報を取得する機能を有する。
【００２９】
無線通信部４３は、設備管理サーバ２と例えば電話通信網及びインターネットを介した無線通信３を行う通信部である。表示制御部４４は、画面制御部４０４からの画面情報に応じて画面信号を表示部４５へ出力する。表示部４５は、入力された画面信号に応じた画面を表示する。ＩＣタグ制御部４６は、ＩＣタグ通信部４７を介してＩＣタグ８に対して、情報の読み出し及び書き込み等の制御を行う。ＩＣタグ制御部４６は、ＩＣタグ８に対して、設備の状態情報の書き込み処理又は設備管理サーバ２のＵＲＬ情報の書き込み処理を行う。ＩＣタグ制御部４６は、ＩＣタグ通信部４７に対してＩＣタグ８の検知処理を行うよう指示する。ＩＣタグ通信部４７は、所定の距離まで近づいたＩＣタグ８を検知し、検知したＩＣタグ８と所定の無線通信７を行うための通信部である。
【００３０】
ＩＣタグ制御部４６は、ＩＣタグ８に対して設備の状態情報の書き込み処理を行う場合は、その処理の前にＩＣタグ８のＩＤと関連付けて設備管理サーバ２のＵＲＬ情報をメモリに保持する。これは、ＩＣタグ８に対して設備の状態情報の書き込み処理を行う場合は、ＩＣタグ８は、設備の状態情報を、設備管理サーバ２のＵＲＬ情報に上書きして消去してしまう。よって、ＩＣタグ制御部４６は、ＩＣタグ８のＩＤと関連付けて設備管理サーバ２のＵＲＬ情報を、消去される前にメモリに格納する。このメモリは、図２に示していないが、設備管理装置４内であれば、ＩＣタグ制御部４６内に設けても、ＩＣタグ制御部４６外に設けてもよい。
【００３１】
ＩＣタグ制御部４６は、ＩＣタグ通信部４７がＩＣタグ８を検知したと判断した場合には、ＩＣタグ通信部４７を介してＩＣタグ８に格納されている情報を取得する。ＩＣタグ制御部４６は、ＩＣタグ８から取得した情報に設備管理サーバ２のＵＲＬ情報が含まれていれば、そのＵＲＬ情報を設備情報取得部４２へ出力する。ＩＣタグ制御部４６は、ＩＣタグ８から取得した情報に設備管理サーバ２のＵＲＬ情報が含まれていなければ、メモリに保持しているＩＣタグ８のＩＤに関連付けられた設備管理サーバ２のＵＲＬ情報を設備情報取得部４２へ出力する。登録要求部４８は、設備管理サーバ２に対して、ＩＣタグ８に対応する設備の状態情報等を含む設備情報を登録するよう要求する登録要求を送信する機能を有する。
【００３２】
なお、上述したように、本実施形態において、設備管理サーバ２に接続できない場合とは、例えば、災害等により通信ネットワークの設備が故障した場合を想定している。そして、通信ネットワークの設備が故障するほどの災害が起きた場合には、作業員は、プラントの各設備に損傷がないか点検を行ったり、必要に応じて仕切弁５の弁を閉めたりする。この点検時に、設備管理装置４は、上記のような書き込みモードに移行するか否かを入力する入力画面を表示する。作業員は、プラントの各設備に損傷を発見したり、仕切弁５の弁の状態を変更したりした場合に、その情報をＩＣタグ８に書き込むため、入力画面において、書き込みモードに移行するとの入力を行う。
【００３３】
書き込みモードについて説明する。
災害等により設備管理サーバ２と通信ができないと判断し、かつ、書き込みモードに移行する指示が入力部４１から入力されたと判断した場合には、モード制御部４０２は、設備管理装置４の動作モードを書き込みモードへ移行させる。書き込みモードに移行すると、画面制御部４０４は、ＩＣタグ８を付与している設備の種類を特定し、特定した設備の種類に応じた書き込みモード画面を表示部４５に表示させる画面情報を生成する。書き込み処理部４０３は、書き込みモード画面において入力された設備の状態情報を、ＩＣタグ８に書き込みするように、ＩＣタグ制御部４６に対して指示する。これにより、ＩＣタグ制御部４６は、ＩＣタグ８に対して、設備の状態情報を書き込む。
【００３４】
図３は、設備に応じた書き込みモード画面の画面例を示す図である。
画面例４５ａは、表示部４５に表示される仕切弁５に対応した書き込みモード画面の例である。画面例４５ｂは、表示部４５に表示されるポンプ９に対応した書き込みモード画面の例である。画面例４５ａは、「書き込みモード画面」というタイトルの下に、設備名「○×用仕切弁」と、ＩＣタグＩＤ「ＸＸ００９９」とが記載されている。この設備名は、制御部４０が特定した設備の種類に応じた名称である。ＩＣタグＩＤは、ＩＣタグ制御部４６がＩＣタグ通信部４７を制御してＩＣタグ８−１から取得したＩＤである。
【００３５】
画面例４５ａは、ＩＣタグＩＤの下に、作業員が仕切弁５に対して行った操作内容を選択するための「弁閉」ボタン５１と「弁開」ボタン５２とが並んで配置されている。仕切弁５の弁を閉めた場合は、作業員は、「弁閉」ボタン５１を押す。これにより、書き込み処理部４０３は、「弁閉」の状態情報を、ＩＣタグ８−１に書き込みするように、ＩＣタグ制御部４６に対して指示する。仕切弁５の弁を開けた場合は、作業員は、「弁開」ボタン５２を押す。これにより、書き込み処理部４０３は、「弁開」の状態情報を、ＩＣタグ８−１に書き込みするように、ＩＣタグ制御部４６に対して指示する。
【００３６】
画面例４５ａは、「弁閉」ボタン５１及び「弁開」ボタン５２の下のエリアに操作日時「▽▽年××月○○日」と、操作者「○田▽郎」とが記載されている。この操作日時は、仕切弁５を操作した日時の情報であり、入力方法はどのような方法であってもよい。設備管理装置４は、例えば、作業者が入力部４１から入力する入力方法や、設備管理装置４が備えている時計機能から例えば画面例４５ａの画面を表示したタイミングの時刻を制御部４０が取得する入力方法を用いる。操作者は、仕切弁５を操作した作業者の名前であり、入力方法はどのような方法であってもよい。設備管理装置４は、例えば、作業者が入力部４１から名前を入力する入力方法や、設備管理装置４に予め作業者の名前を登録しておいて、この名前を参照する入力方法を用いる。書き込み処理部４０３は、状態情報と合わせて操作日時及び操作者の情報を、ＩＣタグ８−１に書き込みするように、ＩＣタグ制御部４６に対して指示する。
【００３７】
画面例４５ｂは、「書き込みモード画面」というタイトルの下に、設備名「○×用ポンプ」と、ＩＣタグＩＤ「ＸＸ１１９９」とが記載されている。この設備名は、制御部４０が特定した設備の種類に応じた名称である。ＩＣタグＩＤは、ＩＣタグ制御部４６がＩＣタグ通信部４７を制御してＩＣタグ８−２から取得したＩＤである。画面例４５ｂは、ＩＣタグＩＤの下に、「損傷状態を選択してください」という記載と、作業員がポンプ９を点検して判断したポンプ９の損傷状態を選択するための３つのラジオボタン５３及び各ラジオボタン５３に対応する損傷状態の記載とを有する。各ラジオボタン５３には、上から順に「全壊、動作不能」、「半壊、一部動作不能」、「損傷少、動作可能」という損傷レベルの異なる損傷状態が記載されている。
【００３８】
ポンプ９の損傷状態が全壊である場合は、作業員は、「全壊、動作不能」に対応するラジオボタン５３を押す。ポンプ９の損傷状態が半壊である場合は、作業員は、「半壊、一部動作不能」に対応するラジオボタン５３を押す。ポンプ９の損傷状態が少ない損傷である場合は、作業員は、「損傷少、動作可能」に対応するラジオボタン５３を押す。
【００３９】
画面例４５ｂは、ラジオボタン５３の下に「損傷の詳細を記入してください」という記載及び詳細入力欄５４を配置している。作業員は、詳細入力欄５４に損傷の詳細な情報を入力する。図３において、詳細入力欄５４は、「ポンプの○○部分が損傷している」という記載が作業員により入力されている。画面例４５ｂは、詳細入力欄５４の下に「入力終了」ボタン５５を配置している。作業員は、ラジオボタン５３の選択及び詳細入力欄５４への入力を終えた後に、この「入力終了」ボタン５５を押す。これにより、制御部４０は、ラジオボタン５３で選択された状態情報及び詳細入力欄５４に入力された情報を、ＩＣタグ８−２に書き込みするように、ＩＣタグ制御部４６に対して指示する。
【００４０】
画面例４５ｂは、「入力終了」ボタン５５の下のエリアに作成日時「▽▽年××月○○日」と、作成者「○田▽郎」とが記載されている。この作成日時は、ポンプ９の状態情報を入力した日時の情報であり、入力方法はどのような方法であってもよい。設備管理装置４は、例えば、作業者が入力部４１から入力する入力方法や、設備管理装置４が備えている時計機能から例えば画面例４５ｂの画面を表示したタイミングの時刻を制御部４０が取得する入力方法を用いる。作成者は、ポンプ９の状態情報を入力した作業者の名前であり、入力方法はどのような方法であってもよい。設備管理装置４は、例えば、作業者が入力部４１から名前を入力する入力方法や、設備管理装置４に予め作業者の名前を登録しておいて、この名前を参照する入力方法を用いる。書き込み処理部４０３は、状態情報と合わせて作成日時及び作成者の情報を、ＩＣタグ８−２に書き込みするように、ＩＣタグ制御部４６に対して指示する。
【００４１】
以上、仕切弁に対応する画面例４５ａ及びポンプに対応する画面例４５ｂを示したが、書き込みモード画面は、対応する設備の種類によって記載内容を一部変更する。具体的には、他の設備に対応する書き込みモード画面は、画面例４５ｂとほぼ同じ構成であり、画面例４５ｂの設備名のみが、設備の種類に応じて変更される。例えば、配管に対応する書き込みモード画面は、画面例４５ｂの設備名が「○×用配管」又は「配管」と記載され、その他の表示項目は、同じである。
【００４２】
図４は、書き込みモード画面において、設備の種類別（設備名別）にＩＣタグ８に書き込まれる項目のテーブル例を示す図である。図４において列６０には、設備の種類（設備名）が記載されており、行６１には「仕切弁」、行６２には「配管」、行６３には「○×機器」が記載される。なお、図４には、３つの設備のみが記載されているが、管理対象となる設備を全て登録しておく。
【００４３】
列６４は、書き込みモード時にＩＣタグ８に書き込む「書き込み内容」を規定している。列６５は、書き込みモード時にＩＣタグ８に「書き込み内容」を書き込む際に、合わせて書き込みを行う「関連項目１」を規定している。列６６は、書き込みモード時にＩＣタグ８に「書き込み内容」を書き込む際に、合わせて書き込みを行う「関連項目２」を規定している。
【００４４】
行６１の「仕切弁」における「書き込み内容」は、列６４に示すとおり「弁の開閉状態」であり、図３に示した「弁閉」ボタン５１及び「弁開」ボタン５２に対する作業員の操作により定まる情報である。行６１の「仕切弁」における「関連項目１」は、列６５に示すとおり「弁の開閉日時」であり、図３に示した操作日時「▽▽年××月○○日」に対応している。行６１の「仕切弁」における「関連項目２」は、列６６に示すとおり「操作者」であり、図３に示した操作者「○田▽郎」に対応している。
【００４５】
行６２の「配管」における「書き込み内容」は、列６４に示すとおり「損傷状態」であり、図３に示したラジオボタン５３に対応している。行６２の「配管」における「関連項目１」は、列６５に示すとおり「管本体ｏｒ接合部」である。このような項目は、図３には示していないが、設けるとすれば、例えば、画面制御部４０４は、ラジオボタン５３の下に選択ボタンを設けた画面情報を生成すればよい。行６２の「配管」における「関連項目２」は、列６６に示すとおり「損傷状態の詳細」であり、図３に示した詳細入力欄５４に対応している。
【００４６】
行６３の「ポンプ」における「書き込み内容」は、列６４に示すとおり「損傷状態」であり、図３に示したラジオボタン５３に対応している。行６３の「ポンプ」における「関連項目１」は、列６５に示すとおり「機器名称」であり、図３に示した設備名「○×用ポンプ」に対応している。行６３の「ポンプ」における「関連項目２」は、列６６に示すとおり「損傷状態の詳細」であり、図３に示した詳細入力欄５４に対応している。
【００４７】
このように、図３に示した設備に対応する書き込みモード画面において、表示される項目は、図４に示すテーブルに規定されている。
【００４８】
次に、登録モードについて説明する。
モード制御部４０２は、設備管理サーバ２と通信可能と判断し、かつ、設備の状態情報を設備管理サーバ２へ登録要求する指示（登録モードの指示）が入力部４１から入力されたと判断した場合には、設備管理装置４を登録モードに移行させる。この登録モードには、第１の登録モードと第２の登録モードとがある。第１の登録モードは、通常の点検・操作に応じて設備の最新の状態情報を設備管理サーバ２に登録するための登録モードである。第２の登録モードは、災害等で通信ができない状態から復帰した際に、ＩＣタグ８に格納された情報であるＩＣタグ情報を設備管理サーバ２に登録するための登録モードである。第１の登録モードと第２の登録モードとのどちらの登録モードとするかの選択は、例えば、登録モードに移行した際に、作業者が入力部４１から選択可能な選択画面を表示して行われる。
【００４９】
第１の登録モードと第２の登録モードとのどちらかを特定する方法は、上述した方法に限られるものではない。例えば、作業者が入力部４１から登録モードを指示すると、制御部４０が、メモリに設備管理サーバ２のＵＲＬ情報が格納されているか否かを参照して、メモリに設備管理サーバ２のＵＲＬ情報が格納されていない場合は第１の登録モードとし、メモリに設備管理サーバ２のＵＲＬ情報が格納されている場合は第２の登録モードとする方法でもよい。この方法は、災害等の影響により通信ができない際に、ＩＣタグ８に設備情報を書き込む前に、ＩＣタグ制御部４６が、ＩＣタグ８に格納していた設備管理サーバ２のＵＲＬ情報をメモリに格納していることを利用したものである。
【００５０】
第１の登録モード又は第２の登録モードに移行すると、画面制御部４０４は、設備の種類に応じた第１の登録モード又は第２の登録モードの登録モード画面を表示部４５に表示させる画面情報を生成する。入力処理部４０１は、第１の登録モード又は第２の登録モードの登録モード画面において入力された設備の状態情報を含む登録要求を取得する。制御部４０は、入力処理部４０１が取得した登録要求を設備管理サーバ２へ送信するよう登録要求部４８に対して指示する。これにより、設備管理サーバ２は、ＩＤ及び設備の状態情報を含む登録要求を受信し、設備情報格納部２１に格納しているＩＤで特定される設備に関する設備情報に、登録要求に含まれる設備の状態情報を追加する。
【００５１】
図５は、設備に応じた第１の登録モード又は第２の登録モードの登録モード画面の画面例を示す図である。
画面例４５ｃは、表示部４５に表示される仕切弁５に対応した第１の登録モード画面の例である。画面例４５ｄは、表示部４５に表示されるポンプ９に対応した第１の登録モード画面の例である。画面例４５ｅは、表示部４５に表示される仕切弁５に対応した第２の登録モード画面の例である。画面例４５ｆは、表示部４５に表示されるポンプ９に対応した第２の登録モード画面の例である。
【００５２】
まず、通常の点検・操作に応じて設備の最新の状態情報を設備管理サーバ２に登録するため第１の登録モードの登録モード画面について説明する。
画面例４５ｃは、「第１の登録モード画面」というタイトルの下に、設備名「○×用仕切弁」と、ＩＣタグＩＤ「ＸＸ００９９」とが記載されている。この設備名は、制御部４０が特定した設備の種類に応じた名称である。ＩＣタグＩＤは、ＩＣタグ制御部４６がＩＣタグ通信部４７を制御してＩＣタグ８−１から取得したＩＤである。
【００５３】
画面例４５ｃは、ＩＣタグＩＤの下に、作業員が仕切弁５に対して行った操作内容を選択するための「弁閉」と「弁開」とのいずれか一つを選択できるプルダウンメニュー７１が配置されている。画面例４５ｃは、プルダウンメニュー７１の下のエリアに操作日時「▽▽年××月○○日」と、操作者「○田▽郎」とが記載されている。画面例４５ｃは、操作者「○田▽郎」の記載の下に「登録」ボタン７２を配置している。作業員は、プルダウンメニュー７１の入力を終えた後に、この「登録」ボタン７２を押す。これにより、入力処理部４０１は、プルダウンメニュー７１で選択された仕切弁５の状態情報を含む登録要求を取得する。制御部４０は、入力処理部４０１が取得した登録要求を設備管理サーバ２へ送信するよう登録要求部４８に対して指示する。
【００５４】
画面例４５ｄは、「第１の登録モード画面」というタイトルの下に、設備名「○×用ポンプ」と、ＩＣタグＩＤ「ＸＸ１１９９」とが記載されている。この設備名は、制御部４０が特定した設備の種類に応じた名称である。ＩＣタグＩＤは、ＩＣタグ制御部４６がＩＣタグ通信部４７を制御してＩＣタグ８−２から取得したＩＤである。
【００５５】
画面例４５ｄは、ＩＣタグＩＤの下に、作業員がポンプ９に対して行った操作内容を選択するための「停止」と「稼働」とのいずれか一つを選択できるプルダウンメニュー７３が配置されている。画面例４５ｄは、プルダウンメニュー７３の下のエリアに操作日時「▽▽年××月○○日」と、操作者「○田▽郎」とが記載されている。画面例４５ｄは、操作者「○田▽郎」の記載の下に「登録」ボタン７４を配置している。作業員は、プルダウンメニュー７３の入力を終えた後に、この「登録」ボタン７４を押す。これにより、入力処理部４０１は、プルダウンメニュー７３で選択されたポンプ９の状態情報を含む登録要求を取得する。制御部４０は、入力処理部４０１が取得した登録要求を設備管理サーバ２へ送信するよう登録要求部４８に対して指示する。
【００５６】
次に、災害等で通信ができない状態から復帰した際に、ＩＣタグ８に格納された情報であるＩＣタグ情報を設備管理サーバ２に登録するための第２の登録モードの登録モード画面について説明する。
【００５７】
画面例４５ｅは、「第２の登録モード画面（ＩＣタグ情報）」というタイトルの下に、設備名「○×用仕切弁」と、ＩＣタグＩＤ「ＸＸ００９９」とが記載されている。画面例４５ｅは、ＩＣタグＩＤの記載の下に、災害等で通信ができない時にＩＣタグ８−１に書き込まれた作業員の操作内容「弁開」と、操作日時「▽▽年××月○○日」と、作業員の名前である操作者「○田▽郎」とが記載されている。画面例４５ｅに記載の情報は、ＩＣタグ制御部４６がＩＣタグ通信部４７を制御してＩＣタグ８−１から取得した情報である。画面例４５ｅに記載の情報は、災害等で通信ができない時に、図３に示した書き込みモード画面４５ａに対して作業員が入力することで、ＩＣタグ８−１に書き込まれた情報である。
【００５８】
画面例４５ｅは、操作者「○田▽郎」の記載の下に「登録」ボタン７５を配置している。作業員は、ＩＣタグ８−１から取得した情報を確認した後に、この「登録」ボタン７５を押す。これにより、入力処理部４０１は、ＩＣタグ８−１から取得した情報を含む登録要求を取得する。制御部４０は、入力処理部４０１が取得した登録要求を設備管理サーバ２へ送信するよう登録要求部４８に対して指示する。
【００５９】
画面例４５ｆは、「第２の登録モード画面（ＩＣタグ情報）」というタイトルの下に、設備名「○×用ポンプ」と、ＩＣタグＩＤ「ＸＸ１１９９」とが記載されている。画面例４５ｆは、ＩＣタグＩＤの記載の下に、災害等で通信ができない時にＩＣタグ８−２に書き込まれたポンプ９の損傷状態「全壊、動作不能」と、損傷の詳細な情報「ポンプの○○部分が…」と、作成日時「▽▽年××月○○日」と、作成者「○田▽郎」とが記載されている。画面例４５ｆに記載の情報は、ＩＣタグ制御部４６がＩＣタグ通信部４７を制御してＩＣタグ８−２から取得した情報である。画面例４５ｆに記載の情報は、災害等で通信ができない時に、図３に示した書き込みモード画面４５ｂにおいて作業員が入力することで、ＩＣタグ８−２に書き込まれた情報である。
【００６０】
画面例４５ｆは、作成者「○田▽郎」の記載の下に「登録」ボタン７６を配置している。作業員は、ＩＣタグ８−２から取得した情報を確認した後に、この「登録」ボタン７６を押す。これにより、入力処理部４０１は、ＩＣタグ８−２から取得した情報を含む登録要求を取得する。制御部４０は、入力処理部４０１が取得した登録要求を設備管理サーバ２へ送信するよう登録要求部４８に対して指示する。
【００６１】
また、制御部４０は、第２の登録モードで設備情報取得部４２が設備管理サーバ２へ登録要求を送信した後に、ＩＣタグ８に設備管理サーバ２のＵＲＬ情報が格納されているか否かを判断する。ここで、ＩＣタグ８に設備管理サーバ２のＵＲＬ情報が格納されていないと判断した場合には、制御部４０は、ＩＣタグ制御部４６に対して、ＩＣタグ８にメモリに保持している当該ＩＣタグ８のＩＤに対応する設備管理サーバ２のＵＲＬ情報を書き込むよう指示する。ＩＣタグ制御部４６は、ＩＣタグ８に対して、設備管理サーバ２のＵＲＬ情報の書き込み処理を終えた場合は、ＩＣタグ８のＩＤと関連付けて保持していた設備管理サーバ２のＵＲＬ情報をメモリから削除する。
【００６２】
次に、設備管理システム１の動作について説明する。
図６は、本実施形態の設備管理システム１における設備管理装置４の動作を説明する第１のフロー図である。図６に示す動作の前提として、作業員がプラント内の設備を点検するため、設備に付与されたＩＣタグ８に作業員が持っている設備管理装置４を近づけたとする。また、設備管理装置４は、ＩＣタグ８を利用した設備に関する情報を管理するためのソフトウェアが起動することで、図６に示す動作を開始する。
【００６３】
図６に示すように、設備管理装置４のＩＣタグ制御部４６は、ＩＣタグ通信部４７がＩＣタグ８を検知したか否かを判断する（ステップＳ３１）。ここで、ＩＣタグ通信部４７がＩＣタグ８を検知していないと判断した場合（ステップＳ３１のＮＯ）には、ＩＣタグ制御部４６は、ＩＣタグ通信部４７に対してＩＣタグ８を検知する動作を継続させる。
【００６４】
ＩＣタグ通信部４７がＩＣタグ８を検知したと判断した場合（ステップＳ３１のＹＥＳ）には、ＩＣタグ制御部４６は、ＩＣタグ通信部４７を介してＩＣタグ８に格納されているＩＣタグ８のＩＤを含む情報を取得する。ＩＣタグ制御部４６は、ＩＣタグ８から取得した情報に設備管理サーバ２のＵＲＬ情報が含まれていれば、そのＵＲＬ情報をＩＣタグ８のＩＤと共に設備情報取得部４２へ出力する。ＩＣタグ制御部４６は、ＩＣタグ８から取得した情報に設備管理サーバ２のＵＲＬ情報が含まれていなければ、メモリに保持しているＩＣタグ８のＩＤに関連付けられた設備管理サーバ２のＵＲＬ情報をＩＣタグ８のＩＤと共に設備情報取得部４２へ出力する（ステップＳ３２）。これにより、設備情報取得部４２は、ＩＣタグ制御部４６から設備管理サーバ２のＵＲＬ情報及びＩＣタグ８のＩＤを取得する。
【００６５】
設備情報取得部４２は、取得したＵＲＬ情報に基づいて設備管理サーバ２に接続を試みる（ステップＳ３３）。設備管理サーバ２に接続できた場合（ステップＳ３３のＹＥＳ）には、設備管理装置４は、後述する図７に示すステップＳ５１の処理に移行する。設備管理サーバ２に接続できなかった場合（ステップＳ３３のＮＯ）には、画面制御部４０４は、ＩＣタグ８が付与されている設備の状態情報を、ＩＣタグ８に対して書き込む書き込みモードに移行するか否かの選択を作業員が入力可能な入力画面情報を生成し、表示制御部４４へ出力する。これにより、表示部４５は、書き込みモードに移行するか否かの選択を作業員に促す入力画面を表示する。
【００６６】
制御部４０は、作業員の入力画面における入力に応じて書き込みモードに移行するか否かを判断する（ステップＳ３４）。作業員は、例えば、点検中の設備が仕切弁５である場合には、仕切弁５に対して状態を変更する操作を行っていれば、設備管理装置４を書き込みモードに移行させる。作業員は、例えば、点検中の設備がポンプ９である場合には、ポンプ９が損傷していれば、設備管理装置４を書き込みモードに移行させる。ここで、書き込みモードに移行しないと判断した場合（ステップＳ３４のＮＯ）には、制御部４０は、ＩＣタグ８を利用した設備に関する情報を管理するためのソフトウェアを終了する。
【００６７】
書き込みモードに移行すると判断した場合（ステップＳ３４のＹＥＳ）には、モード制御部４０２は、設備管理装置４の動作モードを書き込みモードへ移行させる。制御部４０は、ＩＣタグ８を付与している設備の種類を特定し、特定した設備の種類に応じた書き込みモード画面を表示部４５に表示する。ＩＣタグ８を付与している設備が仕切弁であると判断した場合（ステップＳ３５のＹＥＳ）には、制御部４０は、仕切弁に応じた書き込みモード画面として図３に示した画面例４５ａを表示部４５に表示する（ステップＳ３６）。
【００６８】
制御部４０は、画面例４５ａの「弁閉」ボタン５１が押されたか否かを判断する（ステップＳ３７）。ここで、画面例４５ａの「弁閉」ボタン５１が押されたと判断した場合（ステップＳ３７のＹＥＳ）には、制御部４０は、「弁閉」の状態情報と、操作日時及び操作者の情報とを、ＩＣタグ８−１に書き込みするように、ＩＣタグ制御部４６に対して指示する。これにより、設備管理装置４は、ＩＣタグ８−１に対して、「弁閉」の状態情報と、操作日時及び操作者の情報とを書き込む処理を行う（ステップＳ３８）。ＩＣタグ８−１への書き込み処理を終えると、制御部４０は、ＩＣタグ８を利用した設備に関する情報を管理するためのソフトウェアを終了する。
【００６９】
画面例４５ａの「弁閉」ボタン５１が押されていないと判断した場合（ステップＳ３７のＮＯ）には、制御部４０は、画面例４５ａの「弁開」ボタン５２が押されたか否かを判断する（ステップＳ３９）。ここで、画面例４５ａの「弁開」ボタン５２が押されたと判断した場合（ステップＳ３９のＹＥＳ）には、制御部４０は、「弁開」の状態情報と、操作日時及び操作者の情報とを、ＩＣタグ８−１に書き込みするように、ＩＣタグ制御部４６に対して指示する。これにより、設備管理装置４は、ＩＣタグ８−１に対して、「弁開」の状態情報と、操作日時及び操作者の情報とを書き込む処理を行う（ステップＳ４０）。ＩＣタグ８−１への書き込み処理を終えると、制御部４０は、ＩＣタグ８を利用した設備に関する情報を管理するためのソフトウェアを終了する。画面例４５ａの「弁開」ボタン５２が押されていないと判断した場合（ステップＳ３９のＮＯ）には、制御部４０は、ステップＳ３７の処理に戻る。
【００７０】
ＩＣタグ８を付与している設備が仕切弁ではないと判断した場合（ステップＳ３５のＮＯ）には、制御部４０は、仕切弁以外の設備の種類を特定して、特定した設備の種類に応じた書き込みモード画面を表示部４５に表示する。設備管理装置４は、表示された書き込みモード画面における作業員の入力に応じた情報をＩＣタグ８へ書き込む処理を行う（ステップＳ４１）。例えば、設備管理装置４は、ポンプに応じた書き込みモード画面として図３に示した画面例４５ｂを表示部４５に表示する。画面例４５ｂにて入力を行った作業員が「入力終了ボタン」５５を押すと、設備管理装置４は、画面例４５ｂにおいて入力された情報をＩＣタグ８−２に書き込みを行う。ＩＣタグ８−２への書き込み処理を終えると、制御部４０は、ＩＣタグ８を利用した設備に関する情報を管理するためのソフトウェアを終了する。
【００７１】
なお、図６においては、仕切弁に応じた書き込みモード画面を表示部４５に表示した場合の詳細な処理を一例として示している。図６において、他の設備に応じた書き込みモード画面を表示部４５に表示した場合の詳細な処理については、図面が複雑になることを避けるためステップＳ４１にまとめて示している。
【００７２】
ＩＣタグ８を付与している設備の種類を特定する方法は、どのような方法であってもよい。例えば、書き込みモードを選択する際に、作業員に設備についても選択させて特定する方法がある。その他にも、ＩＣタグ８にＩＤと関連付けて設備の種類を特定する情報を格納しておき、この情報を参照して特定する方法がある。また、ＩＣタグ８のＩＤの一部に設備の種類を特定する情報を埋め込んでおき、この情報を参照して特定する方法がある。
【００７３】
次に、図６のステップＳ３３において設備管理サーバ２に接続できた場合（ステップＳ３３のＹＥＳ）の登録モード及び情報表示モードの処理について図７を用いて説明する。登録モードは、設備管理装置４が設備管理サーバ２に対して、ＩＣタグ８に対応する設備に関する情報を登録するための動作モードである。登録モードには、上述したように、第１の登録モードと、第２の登録モードがある。情報表示モードは、設備管理装置４がＩＣタグ８に格納されたＩＤに基づいて設備管理サーバ２から、ＩＣタグ８に対応する設備に関する情報を取得して、表示部４５に表示する動作モードである。対応する設備に関する情報を登録するための動作モードである。情報表示モードは、作業員が設備管理装置４を用いてＩＣタグ８が付与された設備に関する情報を確認する際に利用する動作モードである。
【００７４】
図７は、本実施形態の設備管理システム１における設備管理装置４の動作を説明する第２のフロー図である。
図７に示すように、設備管理サーバ２に接続できた場合には、設備管理装置４の制御部４０は、動作モードを登録モードとするか情報表示モードとするかを判断する（ステップＳ５１）。具体的には、設備管理装置４は、例えば、表示部４５に登録モードとするか情報表示モードとするかを作業員に選択させる画面を表示し、作業員の選択に応じて動作モードを登録モードとするか情報表示モードとするかを判断する。
【００７５】
まず、登録モードの動作について説明する。
動作モードを登録モードとすると判断した場合（ステップＳ５１の登録モード）には、モード制御部４０２は、動作モードを登録モードへ移行する（ステップＳ５２）。この際、制御部４０は、第１の登録モードと第２の登録モードとのどちらの登録モードとするかを作業員に選択させる選択画面を表示部４５に表示して、作業者からの選択を受け付ける。
【００７６】
設備管理装置４は、第１の登録モード及び第２の登録モードのどちらが選択されたかと、書き込み対象となる設備とに基づいて、例えば、図５に示した画面例４５ｃ〜画面例４５ｆのいずれかの画面を表示部４５に表示する（ステップＳ５３）。ここで、設備管理装置４は、表示部４５に表示された画面例４５ｃ〜画面例４５ｆのいずれかの画面において、「登録」ボタン７２、７４〜７６のいずれかが押されたか否かを判断する（ステップＳ５４）。ここで、「登録」ボタン７２、７４〜７６のいずれかが押されたと判断した場合（ステップＳ５４のＹＥＳ）には、設備管理装置４は、画面例４５ｃ〜画面例４５ｆに表示された内容を含む登録要求を設備管理サーバ２へ送信する（ステップＳ５５）。これにより、設備管理サーバ２は、設備情報格納部２１に格納しているＩＤで特定される設備に関する設備情報に、登録要求に含まれる設備の状態情報を追加する。
【００７７】
「登録」ボタン７２、７４〜７６のいずれかが押されていないと判断した場合（ステップＳ５４のＮＯ）には、設備管理装置４は、ステップＳ５４に戻り、再び「登録」ボタン７２、７４〜７６のいずれかが押されたか否かを判断する。すなわち、設備管理装置４は、「登録」ボタン７２、７４〜７６のいずれかが押されるまで、ステップＳ５４の処理を繰り返す。
【００７８】
登録要求を設備管理サーバ２へ送信した後、設備管理装置４は、ＩＣタグ８に設備管理サーバ２のＵＲＬ情報が格納されているか否かを判断する（ステップＳ５６）。ＩＣタグ８に設備管理サーバ２のＵＲＬ情報が格納されていないと判断した場合（ステップＳ５６のＮＯ）には、制御部４０は、ＩＣタグ制御部４６に対して、ＩＣタグ８にメモリに保持している当該ＩＣタグ８のＩＤに対応する設備管理サーバ２のＵＲＬ情報を書き込むよう指示する（ステップＳ５７）。ＩＣタグ８に設備管理サーバ２のＵＲＬ情報が格納されていると判断した場合（ステップＳ５６のＮＯ）には、制御部４０は、ＩＣタグ８を利用した設備に関する情報を管理するためのソフトウェアを終了する。
【００７９】
なお、ステップＳ５６の処理は、第２の登録モードのときにのみ必要な処理である。よって、設備管理装置４は、第１の登録モードで動作している場合には、ステップＳ５６の処理を省略してもよい。
【００８０】
次に、情報表示モードの動作について説明する。
動作モードを情報表示モードとすると判断した場合（ステップＳ５１の情報表示モード）には、モード制御部４０２は、動作モードを情報表示モードへ移行する（ステップＳ５８）。設備管理装置４は、ＩＣタグ８のＩＤを含む設備情報の要求を設備管理サーバ２へ送信する（ステップＳ５９）。これにより、設備管理装置４は、設備管理サーバ２から設備情報を取得する。これにより、設備管理装置４は、表示部４５に設備情報を表示する（ステップＳ６０）。これにより、作業員は、表示部４５を見ることでＩＣタグ８の付与された設備に関する設備情報を確認することができる。
【００８１】
上記各実施形態において、設備管理装置４内の各機能部は、ソフトウェア機能部であるものとしたが、ＬＳＩ等のハードウェア機能部であってもよい。本実施形態の設備管理システム１は、プラント内の各設備を作業員が巡回して点検・管理する場合に適用することができる。本実施形態の設備管理システム１は、特に上下水道プラントや都市ガスプラントのように、点検対象となる設備の数が多いプラントに適用すると良い。
【００８２】
以上説明した少なくともひとつの実施形態によれば、設備管理装置４が、設備管理サーバ２と通信できない状態になっても、プラント内の設備に関する情報をＩＣタグ８内に格納しておくことができる。これにより、設備管理装置４が、設備管理サーバ２と通信できる状態となった際には、ＩＣタグ８内に格納しておいた設備に関する情報を設備管理サーバ２へアップロードすることができる。すなわち、設備管理サーバ２は、設備管理装置４と通信できない時間帯に設備の状態に変化があったとしても、設備管理装置４との通信が復帰した際には、設備管理装置４から設備管理装置４と通信できない時間帯における設備の状態の変化に関する情報を得て、管理することができる。
【００８３】
また、以上に説明した設備管理装置４内の機能をソフトウェアによって実現する場合は、それらの機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating System）や周辺機器等のハードウェアを含むものとする。また、「コンピューター読み取り可能な記録媒体」とは、フレキシブルディスク、光磁気ディスク、ＲＯＭ、ＣＤ（Compact Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバやクライアントとなるコンピューターシステム内部の揮発性メモリー（ＲＡＭ）のように、一定時間プログラムを保持しているものも含むものとする。
【００８４】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１…設備管理システム、２…設備管理サーバ、４，４−１，４−２…設備管理装置（携帯端末）、５…仕切弁、６，６−１，６−２…配管、８，８−１，８−２…ＩＣタグ、９…ポンプ、２１…設備情報格納部、４０…制御部、４１…入力部、４２…設備情報取得部、４３…無線通信部、４４…表示制御部、４５…表示部、４６…ＩＣタグ制御部、４７…ＩＣタグ通信部
【図１】
0006602668.tif 000002
【図２】
0006602668.tif 000003
【図３】
0006602668.tif 000004
【図４】
0006602668.tif 000005
【図５】
0006602668.tif 000006
【図６】
0006602668.tif 000007
【図７】
0006602668.tif 000008